【手続補正書】
【提出日】平成20年8月8日(2008.8.8)
【手続補正１】
【補正対象書類名】特許請求の範囲
【補正対象項目名】全文
【補正方法】変更
【補正の内容】
【特許請求の範囲】
【請求項１】
非乳幼児ヒト対象における脂肪性細胞の選択的破壊のための冷却方法であって、
前記処置対象の適用部位の近位に少なくとも１つの冷却素子を適用し、
前記適用部位の真下の温度を低下させるために、前記冷却素子を利用し(ここで、その温度の低下が、そこにある脂肪性細胞を破壊し、それによって減少させるのに十分である)、
温度を低下させる間に、前記冷却素子に近位の非脂肪性細胞が破壊されないことを確認するための十分なフィードバック情報を提供するために、少なくとも１つのフィードバック装置を利用し、それにより、前記対象における脂肪性細胞を選択的に破壊する、
工程を含む、方法。
【請求項２】
組織が真皮、表皮および皮下脂肪組織から成る群から選択される、請求項１に記載の方法。
【請求項３】
温度の低下が対象の真皮、表皮および皮下脂肪組織にわたる局所的温度勾配を生じさせる、請求項１または２に記載の方法。
【請求項４】
脂肪性細胞が皮下脂肪組織内の脂肪細胞である、請求項１から３のいずれかに記載の方法。
【請求項５】
冷却素子が適用部位と接する、請求項１から４のいずれかに記載の方法。
【請求項６】
生理的パラメーターが対象の表皮の温度である、請求項１から５のいずれかに記載の方法。
【請求項７】
対象の表皮において温度が−１０℃〜２０℃である、請求項６に記載の方法。
【請求項８】
生理的パラメーターが対象の真皮の温度である、請求項１から５のいずれかに記載の方法。
【請求項９】
対象の真皮において温度が−１０℃〜３５℃である、請求項８に記載の方法。
【請求項１０】
生理的パラメーターが対象の皮下脂肪組織の温度である、請求項１から５のいずれかに記載の方法。
【請求項１１】
対象の皮下脂肪組織において温度が−１０℃〜２５℃である、請求項１０に記載の方法。
【請求項１２】
フィードバック装置が対象の真皮、表皮または皮下脂肪組織の一つ以上における剛性の変化量を測定するように配置される、請求項１から５のいずれかに記載の方法。
【請求項１３】
フィードバック装置が対象の真皮、表皮または皮下脂肪組織の一つ以上における圧力の変化量を測定するように配置される、請求項１から５のいずれかに記載の方法。
【請求項１４】
フィードバック装置が対象の真皮、表皮または皮下脂肪組織の一つ以上における相転移の有無を決定するように配置される、請求項１から５のいずれかに記載の方法。
【請求項１５】
フィードバック装置が非侵襲的である、請求項１から５のいずれかに記載の方法。
【請求項１６】
フィードバック装置が温度プローブである、請求項１から５のいずれかに記載の方法。
【請求項１７】
温度プロープが冷却素子の機能をモニタリングするために配置される、請求項１６に記載の方法。
【請求項１８】
温度プローブが放射温度計、光ファイバー温度センサー、熱画像サーモプローブ、熱電対、サーミスター、バイメタル式温度計、色変換式温度表示紙、半導体温度計、光ファイバー温度計、ガラス温度計からなる群から選択されるサーモプローブである、請求項１６に記載の方法。
【請求項１９】
温度プローブがサーモプローブである、請求項１６または１７に記載の方法。
【請求項２０】
フィードバック装置が電気的フィードバック装置である、請求項１に記載の方法。
【請求項２１】
フィードバック装置が超音波装置である、請求項１に記載の方法。
【請求項２２】
超音波装置が超音波検査クリオプローブである、請求項２１に記載の方法。
【請求項２３】
フィードバック装置が振動フィードバックプローブである、請求項１から５のいずれかに記載の方法。
【請求項２４】
振動フィードバックプローブが圧電振動子である、請求項２３に記載の方法。
【請求項２５】
フィードバック装置が接触プローブである、請求項１から５のいずれかに記載の方法。
【請求項２６】
接触プローブが圧力プローブである、請求項２５に記載の方法。
【請求項２７】
圧力プローブがバネ荷重冷却素子である、請求項２６に記載の方法。
【請求項２８】
フィードバック装置が光コヒーレンス断層撮影装置である、請求項１から５のいずれかに記載の方法。
【請求項２９】
フィードバック装置が磁気共鳴画像装置である、請求項１から５のいずれかに記載の方法。
【請求項３０】
生理的パラメーターが対象の真皮または表皮のうちの一方の内部からの反射率または透過率である、請求項２に記載の方法。
【請求項３１】
対象の真皮または表皮の内部からの反射率のスペクトルが連続的にモニタリングされる、請求項３０に記載の方法。
【請求項３２】
フィードバック装置が光学分光装置である、請求項３１に記載の方法。
【請求項３３】
フィードバック装置が冷却素子に近位の非脂肪性細胞の破壊の有無を決定するように配置される、請求項１から５のいずれかに記載の方法。
【請求項３４】
フィードバック装置が脂肪性細胞の選択的減少に関連するフィードバックを提供するように配置される、請求項１から５のいずれかに記載の方法。
【請求項３５】
フィードバック装置が、対象の表皮または真皮内の一方または両方で氷結晶が形成されているか否かを決定するように配置される、請求項１から５のいずれかに記載の方法。
【請求項３６】
フィードバック装置が、対象真皮内の血液含量または血流を決定するように配置される、請求項１から５のいずれかに記載の方法。
【請求項３７】
フィードバック装置が、冷却素子と通信している、請求項１から５のいずれかに記載の方法。
【請求項３８】
フィードバック装置が、冷却素子に組み込まれている、請求項３７に記載の方法。
【請求項３９】
フィードバック装置が、冷却素子と直接接触している、請求項３７に記載の方法。
【請求項４０】
フィードバック装置が、冷却素子と間接接触している、請求項３７に記載の方法。
【請求項４１】
フィードバック装置が、適用部位と通信している、請求項１から５のいずれかに記載の方法。
【請求項４２】
フィードバック装置が、適用部位と直接接触している、請求項４１に記載の方法。
【請求項４３】
フィードバック装置が、適用部位と間接接触している、請求項４１に記載の方法。
【請求項４４】
処置対象の適用部位に近位に、前記適用部位の真下の血流を低下させるのに効果的である圧力を加えることをさらに含む、請求項１から４３のいずれかに記載の方法。
【請求項４５】
適用部位に機械的力を加えることをさらに含む、請求項１から４４のいずれかに記載の方法。
【請求項４６】
美容的処置に使用するための、請求項１から４５のいずれかに記載の方法。
【請求項４７】
非乳幼児ヒト対象における脂肪性細胞の選択的破壊のためのシステムであって、
前記処置対象の適用部位に近位の少なくとも１つの非侵襲的冷却素子(前記非侵襲的冷却素子はその処置部位の真下の温度を低下させるのに効果的であり、その温度の低下が、前記適用部位の真下の脂肪性細胞を破壊し、それによって減少させるのに十分である)；および
前記対象の組織の少なくとも１つの生理的パラメーターに関するフィードバック情報を提供するための超音波に基づくフィードバック装置
を含む、システム。
【請求項４８】
フィードバック装置が、冷却素子と通信している、請求項４７に記載のシステム。
【請求項４９】
フィードバック装置が、適用部位と通信している、請求項４７に記載のシステム。
【請求項５０】
対象の組織が真皮、表皮および皮下脂肪組織から成る群から選択される、請求項４７に記載のシステム。
【請求項５１】
フィードバック装置が冷却素子に近位の非脂肪性細胞の破壊の有無を決定するように配置される、請求項４７に記載のシステム。
【請求項５２】
フィードバック装置が脂肪性細胞の選択的減少に関連するフィードバックを提供するように配置される、請求項４７に記載のシステム。
【請求項５３】
適用部位に機械的力を適用するために配置された振動子をさらに含む、請求項４７に記載のシステム。
【請求項５４】
非乳幼児ヒト対象における脂肪性細胞の選択的破壊のためのシステムであって、
前記処置対象の適用部位に近位の少なくとも１つの冷却素子(前記冷却素子は、前記適用部位の真下の温度を低下させるのに効果的であり、その温度の低下が、前記適用部位の真下の脂肪性細胞を破壊し、それによって減少させるのに十分である)；および
前記対象の組織の少なくとも１つの生理的パラメーターに関するフィードバック情報を提供するためのフィードバック装置
を含む、システム。
【請求項５５】
フィードバック装置が、冷却素子と通信している、請求項５４に記載のシステム。
【請求項５６】
フィードバック装置が、適用部位と通信している、請求項５４に記載のシステム。
【請求項５７】
フィードバック装置が冷却素子に組み込まれている、請求項５５に記載のシステム。
【請求項５８】
フィードバック装置が冷却部位と直接接触している、請求項５５に記載のシステム。
【請求項５９】
フィードバック装置が適用部位と直接接触している、請求項５６に記載のシステム。
【請求項６０】
フィードバック装置が非侵襲的である、請求項５４に記載のシステム。
【請求項６１】
フィードバック装置が温度プローブである、請求項５４に記載のシステム。
【請求項６２】
温度プローブがサーモプローブである、請求項６１に記載のシステム。
【請求項６３】
温度プローブが放射温度計、光ファイバー温度センサー、熱画像サーモプローブ、熱電対、サーミスター、バイメタル式温度計、色変換式温度表示紙、半導体温度計、光ファイバー温度計、ガラス温度計からなる群から選択されるサーモプローブである、請求項６１に記載のシステム。
【請求項６４】
フィードバック装置が電気的フィードバック装置である、請求項５４に記載のシステム。
【請求項６５】
フィードバック装置が超音波装置である、請求項５４に記載のシステム。
【請求項６６】
超音波装置が超音波検査クリオプローブである、請求項６５に記載のシステム。
【請求項６７】
フィードバック装置が振動フィードバックプローブである、請求項５４に記載のシステム。
【請求項６８】
振動フィードバックプローブが圧電振動子である、請求項６７に記載のシステム。
【請求項６９】
フィードバック装置が接触プローブである、請求項５４に記載のシステム。
【請求項７０】
接触プローブが圧力プローブである、請求項６９に記載のシステム。
【請求項７１】
圧力プローブがバネ荷重冷却素子である、請求項７０に記載のシステム。
【請求項７２】
フィードバック装置が光コヒーレンス断層撮影装置である、請求項５４に記載のシステム。
【請求項７３】
フィードバック装置が磁気共鳴画像装置である、請求項５４に記載のシステム。
【請求項７４】
冷却素子が金属を含む、請求項５４に記載のシステム。
【請求項７５】
金属が銅、銀およびアルミニウムからなる群から選択される、請求項７４に記載のシステム。
【請求項７６】
冷却素子が固体冷却剤を含んでいる、請求項５４に記載のシステム。
【請求項７７】
冷却剤が金属、ガラス、ゲル、セラミック、ペルティエ素子、氷および氷スラリーからなる群の任意のメンバーからなる、請求項７６に記載のシステム。
【請求項７８】
冷却素子が液体冷却剤を含んでいる、請求項５４に記載のシステム。
【請求項７９】
冷却素子が生理食塩水、グリセロール、アルコールおよびそれらの混合物からなる群の任意のメンバーからなる、請求項５４に記載のシステム。
【請求項８０】
冷却素子がガス冷却剤を含んでいる、請求項５４に記載のシステム。
【請求項８１】
冷却剤が冷却空気または液体窒素である、請求項８０に記載のシステム。
【請求項８２】
非乳幼児ヒト対象における脂肪性細胞の選択的破壊のためのシステムであって、
前記処置対象の適用部位に近位の少なくとも１つの冷却素子(前記冷却素子は、前記適用部位の真下の温度を低下させるのに効果的である)、および
温度の低下が、十分に前記適用部位の真下の脂肪性細胞を破壊し、それによって減少させることを確認するための十分なフィードバック情報を提供するように配置された少なくとも１つのフィードバック装置
を含む、システム。
【請求項８３】
フィードバック情報が脂肪性細胞の少なくとも１つの生理的パラメーターに関する情報を含む、請求項８２に記載のシステム。
【請求項８４】
温度の低下が対象の真皮、表皮および皮下脂肪組織にわたり局所的な温度勾配を生じさせる、請求項８２に記載のシステム。
【請求項８５】
脂肪性細胞が対象の皮下脂肪組織内の脂肪細胞である、請求項８２に記載のシステム。
【請求項８６】
冷却素子が適用部位と接する、請求項８２に記載のシステム。
【請求項８７】
生理的パラメーターが対象の皮下脂肪組織の温度である、請求項８３に記載のシステム。
【請求項８８】
温度が−１０℃〜３７℃である、請求項８７に記載のシステム。
【請求項８９】
生理的パラメーターが、対象の皮下脂肪組織における結晶形成である、請求項８３に記載のシステム。
【請求項９０】
生理的パラメーターが対象の皮下脂肪組織における剛性である、請求項８３に記載のシステム。
【請求項９１】
生理的パラメーターが対象の皮下脂肪組織における圧力である、請求項８３に記載のシステム。
【請求項９２】
生理的パラメーターが対象の皮下脂肪組織における相転移である、請求項８３に記載のシステム。
【請求項９３】
生理的パラメーターが対象の皮下脂肪組織における音響速度である、請求項８３に記載のシステム。
【請求項９４】
フィードバック装置が侵襲的温度プローブである、請求項８２に記載のシステム。
【請求項９５】
温度プローブがサーモプローブである、請求項９４に記載のシステム。
【請求項９６】
温度プローブが放射温度計、光ファイバー温度センサー、熱画像サーモプローブ、熱電対、サーミスター、バイメタル式温度計、色変換式温度表示紙、半導体温度計、光ファイバー温度計、ガラス温度計からなる群から選択されるサーモプローブである、請求項９５に記載のシステム。
【請求項９７】
フィードバック装置が電気的フィードバック装置である、請求項８２に記載のシステム。
【請求項９８】
フィードバック装置が超音波装置である、請求項８２に記載のシステム。
【請求項９９】
超音波装置が超音波検査クリオプローブである、請求項９８に記載のシステム。
【請求項１００】
フィードバック装置が振動フィードバックプローブである、請求項８２に記載のシステム。
【請求項１０１】
振動フィードバックプローブが圧電振動子である、請求項１００に記載のシステム。
【請求項１０２】
フィードバック装置が接触プローブである、請求項８２に記載のシステム。
【請求項１０３】
接触プローブが圧力プローブである、請求項１０２に記載のシステム。
【請求項１０４】
圧力プローブがバネ荷重冷却素子である、請求項１０３に記載のシステム。
【請求項１０５】
フィードバック装置が光コヒーレンス断層撮影装置である、請求項８２に記載のシステム。
【請求項１０６】
フィードバック装置が磁気共鳴画像装置である、請求項８２に記載のシステム。
【請求項１０７】
フィードバック装置が光学分光装置である、請求項５４に記載のシステム。
【請求項１０８】
生理的パラメーターが対象の皮下脂肪組織の内部からの反射率または透過率である、請求項８３に記載のシステム。
【請求項１０９】
フィードバック装置が対象の皮下脂肪組織の内部からの反射率のスペクトルの連続的なモニタリングに適する、請求項１０８に記載の方法。
【請求項１１０】
フィードバック装置が光学分光装置である、請求項８２に記載のシステム。
【請求項１１１】
組織が真皮、表皮および皮下脂肪組織から成る群から選択される、請求項５４に記載のシステム。
【請求項１１２】
フィードバック装置が、さらに冷却素子に近位の非脂肪性細胞の破壊の有無を決定するように配置される、請求項５４に記載のシステム。
【請求項１１３】
フィードバック装置が、さらに脂肪性細胞の選択的減少に関連するフィードバックを提供するように配置される、請求項５４に記載のシステム。
【請求項１１４】
フィードバック装置が、さらに対象の真皮、表皮または皮下脂肪組織の一つ以上における圧力の変化量を測定するように配置される、請求項５４に記載のシステム。
【請求項１１５】
フィードバック装置が、さらに対象の真皮または表皮の一方または両方における相転移の有無を決定するように配置される、請求項５４に記載のシステム。
【請求項１１６】
フィードバック装置が、さらに対象の表皮または真皮内の一方または両方で氷結晶が形成されているか否かを決定するように配置される、請求項５４に記載のシステム。
【請求項１１７】
フィードバック装置が、さらに対象真皮内の血液含量または血流を決定するように配置される、請求項５４に記載のシステム。
【請求項１１８】
フィードバック装置が冷却素子と間接的に接触している、請求項５５に記載のシステム。
【請求項１１９】
フィードバック装置が適用部位と間接的に接触している、請求項５６に記載のシステム。
【請求項１２０】
温度プローブが冷却素子の機能をモニタリングするように配置されている、請求項６１に記載のシステム。
【請求項１２１】
フィードバック装置が冷却素子と通信している、請求項８２に記載のシステム。
【請求項１２２】
フィードバック装置が冷却素子と直接接触している、請求項１２１に記載のシステム。
【請求項１２３】
フィードバック装置が冷却素子と間接接触している、請求項１２１に記載のシステム。
【請求項１２４】
フィードバック装置が適用部位と通信している、請求項８２に記載のシステム。
【請求項１２５】
フィードバック装置が適用部位と直接接触している、請求項１２４に記載のシステム。
【請求項１２６】
フィードバック装置が適用部位と間接接触している、請求項１２４に記載のシステム。
【請求項１２７】
適用部位に機械的力を適用するために配置された振動子をさらに含む、請求項５４に記載のシステム。
【請求項１２８】
適用部位に機械的力を適用するために配置された振動子をさらに含む、請求項８２に記載のシステム。
【請求項１２９】
接触プローブが冷却素子と適用部位の界面に位置するサーモプローブを含む、請求項６９に記載のシステム。
【請求項１３０】
接触プローブが冷却素子上に位置する少なくとも２個の電極を含む、請求項６９に記載のシステム。
【請求項１３１】
少なくとも２個の電極が冷却素子の端に位置する、請求項１３０に記載のシステム。
【請求項１３２】
接触プローブが冷却素子と適用部位の界面に位置する少なくとも１個の光学センサーを含む、請求項６９に記載のシステム。
【請求項１３３】
接触プローブが冷却素子と適用部位の界面に位置するサーモプローブを含む、請求項１０２に記載のシステム。
【請求項１３４】
接触プローブが冷却素子の上に位置する少なくとも２個の電極を含む、請求項１０２に記載のシステム。
【請求項１３５】
少なくとも２個の電極が冷却素子の端に位置する、請求項１３４に記載のシステム。
【請求項１３６】
接触プローブが冷却素子と適用部位の界面に位置する少なくとも１個の光学センサーを含む、請求項１０２に記載のシステム。
【請求項１３７】
美容的処置に使用するための、請求項４７から１３６のいずれかに記載のシステム。
【手続補正２】
【補正対象書類名】明細書
【補正対象項目名】００２１
【補正方法】変更
【補正の内容】
【００２１】
フィードバック情報が提供され得るさらなる生理的パラメーターは、対象の真皮または表皮における相転移の有無である。
【手続補正３】
【補正対象書類名】明細書
【補正対象項目名】００２５
【補正方法】変更
【補正の内容】
【００２５】
他の典型的なフィードバック装置の例は、電気的フィードバックプローブ、超音波プローブ(例えば、超音波検査クリオプローブ)、振動フィードバックプローブ(例えば、圧電振動子)、接触プローブ(例えば、バネ荷重冷却素子などの圧力プローブ)、光コヒーレンス断層撮影装置、光学分光装置、および／または磁気共鳴画像装置である。